(57)【要約】【課題】  操作機構部の点検作業を短時間で容易にし得る遮断器を提供する。【解決手段】  接離自在の一対の接点を有する遮断部３と、前記遮断部３を操作する複数の可動ピンで連結されたリンク機構部６を介し、且つ前記リンク機構部６を複数の孔９を有する正面パネル７で覆った操作機構部４とを備え、前記それぞれの孔９は、前記遮断部３の開路状態または閉路状態において、前記それぞれの可動ピンと対向するように設けられたことを特徴とする。【選択図】  図１
2005063863.tif 000002
【特許請求の範囲】
【請求項１】
接離自在の一対の接点を有する遮断部と、
前記遮断部を操作する複数の可動ピンで連結されたリンク機構部を介し、且つ前記リンク機構部を複数の孔を有する正面パネルで覆った操作機構部とを備え、
前記それぞれの孔は、前記遮断部の開路状態または閉路状態において、前記それぞれの可動ピンと対向するように設けられたことを特徴とする遮断器。
【請求項２】
前記孔近傍の前記正面パネルに注油の表示を設けたことを特徴とする請求項１に記載の遮断器。
【請求項３】
前記可動ピンの軸面に開路状態または閉路状態を示す表示を設けたことを特徴とする請求項１または請求項２に記載の遮断器。
【発明の詳細な説明】
【技術分野】
【０００１】
本発明は、真空遮断器のような遮断器を操作する操作機構部の点検作業を容易にし得る遮断器に関する。
【背景技術】
【０００２】
従来のこの種の遮断器における真空遮断器は、真空バルブからなる遮断部とこの遮断部を操作する操作機構部とに分かれて構成されている。
【０００３】
操作機構部では、モータなどで生じさせた小さな操作力を複数のリンクやレバーなどを介して方向や力を変換し、大きな操作力を生じさせ遮断部に伝達している。また、操作機構部は、操作性を考慮して、遮断器の正面側に配置されている。そして、正面側からの異物侵入防止や外観形状の見栄えなどから、操作機構部を覆うように正面パネルが取付けられている（例えば、特許文献１参照。）。この正面パネルは、操作機構部を収納する箱体にボルトなどで着脱自在に固定されている。
【特許文献１】特開２０００−７８７１１号公報（第２頁、図１）
【発明の開示】
【発明が解決しようとする課題】
【０００４】
上記の従来の遮断器においては、次のような問題がある。
【０００５】
操作機構部では、複数のリンクやレバーなどが連結、軸支される個所に、回転、摺動、移動などによる摩擦力を低減するため潤滑油が設けられている。この潤滑油は、経年劣化により粘度が上昇してくるので、電力系統を停電して行う保守、点検時に定期的に新しい潤滑油が注油される。この注油は、操作機構部の正面側に取付けられている正面パネルを取外し、複数のリンクやレバーなどを外部から目視できるようにしてから行われる。
【０００６】
しかしながら、限られた停電時間内での点検作業では、正面パネルを固定しているボルトなどを取外し、複数のリンクやレバーなどの連結部に注油することは困難な作業であった。
【０００７】
この注油が充分に行われなければ、連結部での摩擦力が増し、遮断部へ伝達される操作力が低減したり、更には、リンクやレバーなどが折損することになる。
【０００８】
従って、本発明は、操作機構部の点検時に、容易に潤滑油を注油し得る遮断器を提供することを目的とする。
【課題を解決するための手段】
【０００９】
上記目的を達成するために、本発明の遮断器は、接離自在の一対の接点を有する遮断部と、前記遮断部を操作する複数の可動ピンで連結されたリンク機構部を介し、且つ前記リンク機構部を複数の孔を有する正面パネルで覆った操作機構部とを備え、前記それぞれの孔は、前記遮断部の開路状態または閉路状態において、前記それぞれの可動ピンと対向するように設けられたことを特徴とする。
【発明の効果】
【００１０】
本発明によれば、遮断器の開路状態または閉路状態において、遮断部を開閉する操作機構部の複数の可動ピンと対向する正面パネルに複数の孔を設けているので、正面パネルを取外すことなく、この孔から可動ピンに潤滑油を注油することができる。このため、点検作業を短時間で容易に行うことができる。
【００１１】
また、本発明によれば、正面パネルに設けた孔から遮断部に近接したリンク機構部の可動ピンを目視できるようにしているので、開路状態または閉路状態を表示することができる。
【発明を実施するための最良の形態】
【００１２】
本発明の遮断器は、操作機構部のリンクやレバーが連結される複数の可動ピンと対向する正面パネルに複数の孔を設ける構成とし、正面パネルを取外すことなく、この孔から注油などの点検作業をできるようにしている。また、この孔から遮断器の操作機構部の開路状態または閉路状態を表示できるようにしている。
【実施例】
【００１３】
以下、本発明の実施例を図１乃至図３を参照して説明する。図１は、本発明の実施例に係る真空遮断器の構成を示す斜視図、図２は、本発明の実施例に係る真空遮断器の操作機構部の開路状態を示す正面図、図３は、本発明の実施例に係る真空遮断器の操作機構部の閉路状態を示す正面図である。ここで、通常、遮断器の点検は、開路状態で行われるので、開路状態を基に操作機構部を説明する。
【００１４】
図１に示すように、真空遮断器１は、接離自在の一対の接点を有する真空バルブ２を背面側に配置した遮断部３と、遮断部３を操作する正面側に配置した操作機構部４とから構成されている。
【００１５】
この操作機構部４には、正面側の一面が開放された箱体５内に、図示しないモータで蓄勢される開路、閉路バネや、その力を遮断部３に伝達するリンク機構部６などが配置されている。そして、箱体５の正面側の開放面には、外部からの異物侵入防止や外観形状の見栄えなどから正面パネル７がボルト８で固定されている。この正面パネル７には、リンク機構部６を点検するための複数の孔９が設けられている。また、正面パネル７には、遮断部３を開閉する操作ボタン１０、および真空遮断器１を移動するための把手１１が設けられている。
【００１６】
次に、真空バルブ２の開路状態におけるリンク機構部６を図２に示す。図２に示すように、リンク機構部６には、図示左から右に向かって、図示しない開路、閉路バネに連結された動作軸２０が回転自在に箱体に設けられている。この動作軸２０には、扇状のリンク２１のかなめ部が固定され、回動自在となっている。このリンク２１の扇状の円弧部には、板状の第１のリンク２２の一方端が可動ピン２３で移動自在に連結されている。また、扇状の周縁部には、かなめ部方向にバネで付勢された動作ピン２４が設けられている。更には、扇状の周縁部端には、切り欠き部２１ａが設けられ、動作ピン２４が嵌め込まれるようになっている。
【００１７】
そして、第１のリンク２２の他方端には、それぞれ板状の第２および第３のリンク２５および２６の一方端が可動ピン２７で移動自在に連結され、これらの第２、第３のリンク２５、２６は可動ピン２７を支点としてく字状となっている。この第２のリンク２５の他方端には、箱体に固定された固定ピン２８が設けられている。また、第３のリンク２６の他方端には、それぞれ板状の第４のリンク２９およびレバー３０の一方端が可動ピン３１で移動自在に連結されている。
【００１８】
このレバー３０の他方端には、真空バルブ２の可動軸に連結される主軸３２が固定されており、この主軸３２は回転自在に箱体に設けられている。また、第４のリンク２９の他方端には、可動ピン３３が設けられ、図示しない補助スイッチや動作カウンターが連結されている。
【００１９】
ここで、正面パネル７には、真空バルブ２の開路状態における可動ピン２３、２７、３１、３３の位置に対向して、これらの可動ピン２３、２７、３１、３３の直径よりも大きい内径を有する孔９が設けられている。
【００２０】
このようなリンク機構部６において、真空バルブ２を閉路状態にする場合には、図示しない開路バネを動作させて動作ピン２０を時計方向に回転させると、動作ピン２０に固定されている扇状のリンク２１が矢印のように時計方向に回動する。これにより、扇状のリンク２１に連結されている第１のリンク２２が矢印のように図示右方向に移動し、第２のリンク２５と第３のリンク２６とを連結している可動ピン２７が同様に図示右方向に移動する。
【００２１】
この移動により、固定ピン２８を支点として、第２のリンク２５と第３のリンク２６とが直線上に並び、可動ピン３１が矢印のように図示下方向に押し下げられる。これにより、主軸３２を支点としてレバー３０が矢印のように反時計方向の回動し、主軸３２が反時計方向に回転する。この主軸３２の回転により、連結されている真空バルブ２の可動軸が一対の接点を接触するように移動し、閉路状態となる。
【００２２】
このようにリンク機構部６が動作して、真空バルブ２が閉路状態になった状態を図３に示す。図３に示すように、扇状のリンク２１の切り欠き部２１ａには、動作ピン２４が嵌め込まれ、閉路状態が保持される。そして、それぞれの可動ピン２３、２７、３１、３３は、いずれも孔９から外れた位置に移動している。即ち、それぞれの可動ピン２３、２７、３１、３３は、孔９から目視ができず、正面パネル７で覆われている。
【００２３】
なお、上述の開路状態にする場合には、動作ピン２４を切り欠き部２１ａから外し、図示しない開路バネで動作軸２０を反時計方向に回転させると、真空バルブ２の一対の接点が開離する。
【００２４】
ここで、これらの可動ピン２３、２７、３１、３３は、真空バルブ２を開閉させるために大きな操作力となったリンク２１、２２、２５、２７、２９やレバー３０を連結しており、点検時での注油は不可欠である。また、真空バルブ２を開閉する信号を発する補助スイッチや点検の目安となる開閉回数を記録するカウンターなどを連結するものであり、点検時には注油などを行い、スムースな動作確認が必要である。
【００２５】
本実施例によれば、開路状態時において、正面パネル７を取外すことなく、この孔９から可動ピン２３、２７、３１、３３に注油することができる。また、正面パネル７の孔９の近傍に、注油の表示を設けることで作業を確実に行うことができる。
【００２６】
更には、この孔９から可動ピン２３、２７、３１、３３を目視することができるので、可動ピン２３、２７、３１、３３の軸面に入切の文字や赤青の色からなる表示を設けることで、開路状態の確認が更に確実なものとなる。
【００２７】
本発明によれば、真空バルブ２の開路状態において、リンク機構部６の複数の可動ピン２３、２７、３１、３３に対向して、操作機構部４の正面パネル７に複数の孔９を設けているので、正面パネル７を取外すことなく、この孔９から潤滑油を注油することができる。このため、点検作業を短時間で容易に行うことができる。
【００２８】
また、この孔９から可動ピン２３、２７、３１、３３が目視できるので、遮断部３の開路状態を表示することができる。
【００２９】
なお、本発明は、上記実施例に限定されるものではなく、発明の要旨を逸脱しない範囲で、種々変形して実施することができる。本発明の実施例では、開路状態において、リンク機構部の可動ピンに対向する正面パネルに孔を設けたが、閉路状態において、リンク機構部の可動ピンに対向する正面パネルに孔を設けてもよい。
【産業上の利用可能性】
【００３０】
本発明では、遮断器として真空遮断器を用いて説明したが、気中遮断器、ＳＦ６ガス遮断器および油遮断器のような遮断器の操作機構部に用いることができる。即ち、開路状態または閉路状態において、操作機構部の可動ピンと対向する正面パネルに孔を設けることができる。
【図面の簡単な説明】
【００３１】
【図１】本発明の実施例に係る真空遮断器の構成を示す斜視図。
【図２】本発明の実施例に係る真空遮断器の操作機構部の開路状態を示す正面図。
【図３】本発明の実施例に係る真空遮断器の操作機構部の閉路状態を示す正面図。
【符号の説明】
【００３２】
１  真空遮断器
２  真空バルブ
３  遮断部
４  操作機構部
５  箱体
６  リンク機構部
７  正面パネル
８  ボルト
９  孔
１０  操作ボタン
１１  把手
２０  動作軸
２１  扇状のリンク
２２  第１のリンク
２３、２７、３１、３３  可動ピン
２４  動作ピン
２５  第２のリンク
２６  第３のリンク
２８  固定ピン
２９  第４のリンク
３０  レバー
３２  主軸
【図１】
2005063863.tif 000003
【図２】
2005063863.tif 000004
【図３】
2005063863.tif 000005